(57)【要約】      （修正有）【課題】サポーターとしての機能を有するだけでなく、健康維持部材を繰り返し利用できるように構成された健康維持バンドを提供する。【解決手段】健康維持バンドは、本体ベース部５１と、本体ベース部５１の一端部近傍に設けられ、本体ベース部５１の他端部近傍に貼付自在となる本体貼付部５２と、本体ベース部５１の身体側に位置する面５０ｆであって中央部５５の任意の位置に取付自在になり、かつ、中央部５５から取外自在となる取付部材１０と、を備えている。取付部材１０は、取付ベース部と、取付ベース部の一方の面に設けられる取付貼付部と、取付ベース部の他方の面側に設けられる複数の健康維持部材１５と、を有している。各健康維持部材１５は、酸化チタンからなる部分還元焼結体と、部分還元焼結体の表面に積層形成された半導体膜とを有している。取付部材１０は、取付貼付部で本体ベース部５１の身体側に位置する面５０ｆに取付可能となっている。【選択図】図１
0003175062.tif 000002
【実用新案登録請求の範囲】
【請求項１】
身体の所定箇所に巻き付けることが可能な本体ベース部と、
前記本体ベース部の一端部近傍に設けられ、該本体ベース部の他端部近傍に貼付自在となる本体貼付部と、
前記本体ベース部の身体側に位置する面であって前記一端部と前記他端部との間の中央部の任意の位置に取付自在になり、かつ、該中央部から取外自在となる取付部材と、を備え、
前記取付部材は、取付ベース部と、該取付ベース部の一方の面に設けられる取付貼付部と、該取付ベース部の他方の面側に設けられる複数の健康維持部材と、を有し、
各健康維持部材は、酸化チタンからなる部分還元焼結体と、該部分還元焼結体に積層形成された半導体膜とを有し、
前記取付部材は、前記取付貼付部で前記本体ベース部の身体側に位置する面に取付可能となっていることを特徴とする健康維持バンド。
【請求項２】
各健康維持部材は、前記部分還元焼結体で前記取付ベース部に取り付けられていることを特徴とする請求項１に記載の健康維持バンド。
【請求項３】
前記取付ベース部は、布製部材からなっていることを特徴とする請求項１又は２のいずれかに記載の健康維持バンド。
【考案の詳細な説明】
【技術分野】
【０００１】
本考案は、身体に巻き付けられるバンドに関する。
【背景技術】
【０００２】
従来から、身体の手首、足首、膝、肘、首等に装着して使用される身体用のバンドが知られている（例えば特許文献１参照）。また、従来から、永久磁石が設けられ、身体の所定箇所に貼り付けることで、永久磁石による磁気の効果で肩等のコリをほぐす健康用品も知られている。
【先行技術文献】
【特許文献】
【０００３】
【特許文献１】特開２００６−２９９４８８号公報
【考案の概要】
【考案が解決しようとする課題】
【０００４】
上述したような従来の身体用のバンドは、サポーターとして機能することだけを目的としていた。他方、上述したような健康用品は所定の箇所に持続的に貼り付けるものであるが、一度貼り付けると粘着力が低下することから再利用することが困難であった。
【０００５】
以上のような点に鑑み、本考案は、サポーターとしての機能を有するだけでなく、健康維持部材を繰り返し利用することができるように構成された健康維持バンドを提供することを目的とする。
【課題を解決するための手段】
【０００６】
本考案の健康維持バンドは、
身体の所定箇所に巻き付けることが可能な本体ベース部と、
前記本体ベース部の一端部近傍に設けられ、該本体ベース部の他端部近傍に貼付自在となる本体貼付部と、
前記本体ベース部の身体側に位置する面であって前記一端部と前記他端部との間の中央部の任意の位置に取付自在になり、かつ、該中央部から取外自在となる取付部材と、を備え、
前記取付部材は、取付ベース部と、該取付ベース部の一方の面に設けられる取付貼付部と、該取付ベース部の他方の面側に設けられる複数の健康維持部材と、を有し、
各健康維持部材は、酸化チタンからなる部分還元焼結体と、該部分還元焼結体に積層形成された半導体膜とを有し、
前記取付部材は、前記取付貼付部で前記本体ベース部の身体側に位置する面に取付可能となっている。
【０００７】
本考案の健康維持バンドにおいて、
各健康維持部材は、前記部分還元焼結体で前記取付ベース部に取り付けられてもよい。
【０００８】
本考案の健康維持バンドにおいて、
前記取付ベース部は、布製部材からなってもよい。
【考案の効果】
【０００９】
本考案では、取付部材が、本体ベース部の身体側に位置する面であって中央部の任意の位置に取付自在になり、かつ、当該中央部から取外自在となっている。そして、この取付部材には、酸化チタンからなる部分還元焼結体と部分還元焼結体に積層形成された半導体膜とを有する複数の健康維持部材が設けられている。
【００１０】
このため、腰、膝等のような身体の所定箇所のうちの「所望の箇所」に、健康維持部材を位置づけることができ、ひいては、健康維持部材による効果を「所望の箇所」に継続的に与えることができる。また、従来技術のように一度の貼り付けで使用できなくなることはないため、健康維持部材を繰り返し利用することができる。
【図面の簡単な説明】
【００１１】
【図１】本考案の実施の形態による健康維持バンドのうち、腰に巻き付ける健康維持バンドを示した斜視図、平面図及び底面図。
【図２】本考案の実施の形態による健康維持バンドのうち、膝に巻き付ける健康維持バンドを示した斜視図。
【図３】本考案の実施の形態による健康維持バンドのうち、腰に巻き付ける健康維持バンドの取付部材を示した平面図及び底面図。
【図４】本考案の実施の形態による健康維持バンドのうち、膝に巻き付ける健康維持バンドを示した平面図及び底面図。
【図５】本考案の実施の形態による健康維持バンドのうち、膝に巻き付ける健康維持バンドの取付部材を示した平面図及び底面図。
【図６】本考案の実施の形態による健康維持バンドのうち、腰に巻き付ける健康維持バンドを腰に巻き付けた際の態様を示した斜視図。
【図７】本考案の実施の形態による健康維持バンドのうち、膝に巻き付ける健康維持バンドを膝に巻き付けた際の態様を示した斜視図。
【図８】本考案の実施の形態による健康維持バンドの健康維持部材を拡大して示した断面図。
【考案を実施するための形態】
【００１２】
実施の形態
《構成》
以下、本考案に係る健康維持バンドの実施の形態について、図面を参照して説明する。ここで、図１乃至図８は本考案の実施の形態を説明するための図である。身体の所定箇所としては、様々な箇所が考えられるが、本実施の形態では、身体の所定箇所として、腰及び膝を例に取って以下説明する。図１は、腰に巻き付ける健康維持バンドを示した斜視図、平面図及び底面図を示しており、図２は、本考案の実施の形態による健康維持バンドのうち、膝に巻き付ける健康維持バンドを示した斜視図を示している。
【００１３】
《腰に巻き付けられるタイプ》
まずは、腰に巻き付ける健康維持バンドを用いて説明する。
【００１４】
図１（ａ）−（ｃ）に示すように、健康維持バンドは、柔軟性を有し、腰に巻き付けることが可能な本体ベース部５１と、本体ベース部５１の一端部近傍に設けられ、本体ベース部５１の他端部近傍５３に貼付自在となる本体貼付部５２と、本体ベース部５１の身体側に位置する面５０ｆであって一端部と他端部との間の中央部５５の任意の位置に取付自在になり、かつ、中央部５５から取外自在となる２つの取付部材１０と、を備えている。なお、本体ベース部５１は、健康維持バンドを巻き付けた際、身体側に位置する面５０ｆ（図１（ａ）（ｂ）参照）と、身体と反対側に位置する面５０ｒ（図１（ｃ）参照）とを有している。
【００１５】
図３（ａ）（ｂ）に示すように、各取付部材１０は、取付ベース部１１と、取付ベース部１１の裏面（一方の面）の両端に設けられた取付貼付部１２と、取付ベース部１１の表面（他方の面）側に設けられる複数（本実施の形態では１５個）の健康維持部材１５と、を有する。
【００１６】
本実施の形態の取付貼付部１２は、マジックテープ（登録商標）等の面ファスナーの雄型からなり、中央部５５の取付部材１０が貼り付けられる面（すなわち、身体側に位置する面５０ｆ）は、面ファスナーの雌型となっている。このため、上述したように、取付部材１０を身体側に位置する面５０ｆの中央部５５の任意の位置に取付自在とし、かつ、中央部５５から取外自在とすることができる。
【００１７】
また、本体貼付部５２はマジックテープ（登録商標）等の面ファスナーの雄型からなり、本体ベース部５１の他端部近傍５３は面ファスナーの雌型となっている。このため、本体貼付部５２を本体ベース部５１の他端部近傍５３の任意の位置に貼り付けることができる。
【００１８】
本実施の形態で説明している腰に巻き付けられる健康維持バンドでは、身体側に位置する面５０ｆの中央部５５と、身体と反対側に位置する面５０ｒの中央部５５以外の部分とが、面ファスナーの雌型となっている。すなわち、図１（ａ）−（ｃ）においてドット「・」で示した領域が、面ファスナーの雌型となっている。このため、これらの部分であれば、取付貼付部１２及び本体貼付部５２を任意の箇所に位置づけることができる。なお、巻き付けられた際、身体側に位置する面５０ｆの中央部５５は、腰を覆うように位置づけることができる（図６参照）。
【００１９】
図８に示すように、各健康維持部材１５は、酸化チタンからなる部分還元焼結体１６と、部分還元焼結体１６に積層形成されたＰ型半導体膜１７とを有している。
【００２０】
健康維持バンドが腰に巻き付けられた際、健康維持部材１５は身体側に位置することになる（図６参照）。すなわち、取付部材１０は、裏面に設けられた取付貼付部１２で中央部５５の身体側に位置する面５０ｆに取り付けられる。このため、取付部材１０の表面に設けられた健康維持部材１５は、健康維持バンドを巻き付けた際に身体側に位置づけられることになる。
【００２１】
また、健康維持部材１５は、部分還元焼結体１６で取付ベース部１１に取り付けられ、身体の所定箇所に巻き付けられた際、健康維持部材１５のＰ型半導体膜１７が身体側に位置することになる。なお、部分還元焼結体１６は取付ベース部１１に埋設され、Ｐ型半導体膜１７が取付部材１０の表面から突出することになる。
【００２２】
なお、本実施の形態の取付ベース部１１は、布製部材からなっており、ハサミ等で自由な大きさに切断可能となっている。
【００２３】
《膝に巻き付けられるタイプ》
次に、膝に巻き付ける健康維持バンドを用いて説明する。膝に巻き付ける健康維持バンドは、概ね、上述した腰に巻き付けられる健康維持バンドと同様の構成からなっているため、重複する部分については説明を省略する。
【００２４】
図２及び図４（ａ）（ｂ）に示す健康維持バンドは、柔軟性を有し、膝に巻き付けることが可能な本体ベース部５１’と、本体ベース部５１’の一端部近傍に設けられ、本体ベース部５１’の他端部近傍５３’ａに貼付自在となる第一本体貼付部５２’ａと、本体ベース部５１’の他端部近傍に設けられ、本体ベース部５１’の一端部近傍５３’ｂに貼付自在となる第二本体貼付部５２’ｂと、本体ベース部５１’の一端部と他端部との間の中央部５５’の任意の位置に取付自在になり、かつ、中央部５５’から取外自在となる４つの取付部材１０’と、を備えている。
【００２５】
図５（ａ）（ｂ）に示すように、各取付部材１０’は、取付ベース部１１’と、取付ベース部１１’の裏面（一方の面）に設けられた取付貼付部１２’と、取付ベース部１１’の表面（他方の面）側に設けられる複数（本実施の形態では５個）の健康維持部材１５と、を有する。
【００２６】
本実施の形態の取付貼付部１２’は、マジックテープ（登録商標）等の面ファスナーの雄型からなっている。また、本体貼付部５２’もマジックテープ（登録商標）等の面ファスナーの雄型からなっている。そして、本実施の形態で説明する膝に巻き付けられる健康維持バンドでは、身体側に位置する面５０ｆの全体が面ファスナーの雌型となっている。すなわち、図２及び図４（ａ）においてドット「・」で示した領域が、面ファスナーの雌型となっている。このため、これらの部分であれば、取付貼付部１２’及び本体貼付部５２’を任意の箇所に位置づけることができる。
【００２７】
このため、取付部材１０’は、身体側に位置する面５０ｆの中央部５５’の任意の位置に取付自在となり、かつ、当該中央部５５’から取外自在とすることができる。また、本体貼付部５２’を本体ベース部５１’の他端部近傍５３’の任意の位置に貼り付けることができる。
【００２８】
なお、健康維持バンドが膝に巻き付けられた際（図７参照）、健康維持部材１５は身体側に位置することになる。すなわち、取付部材１０’は、裏面に設けられた取付貼付部１２’で中央部５５’の身体側に位置する面５０’ｆに取り付けられる。このため、取付部材１０’の表面に設けられた健康維持部材１５は、健康維持バンドを巻き付けた際に身体側に位置づけられることになる。
【００２９】
《健康維持部材》
本実施の形態の健康維持部材１５について、以下、説明する。
【００３０】
上述したように、本実施の形態の健康維持部材１５は、酸化チタンからなる部分還元焼結体１６と、部分還元焼結体１６の表面に積層形成されたＰ型半導体膜１７とを有している。
【００３１】
本実施の形態の健康維持部材１５の部分還元酸化チタンは、例えば、粉末酸化チタン（ＴｉＯ２）を、真空中若しくは不活性雰囲気中又は還元性雰囲気中で５００〜１１００℃に加熱することで製造される。不活性雰囲気としては、窒素ガス雰囲気、アルゴンガス雰囲気等を用いることができ、還元性雰囲気としては、水素ガス雰囲気、一酸化炭素ガス雰囲気等を用いることができる。
【００３２】
本実施の形態の酸化チタンの部分還元焼結体１６は、以上によって得られた部分還元焼結体粉末を加圧成形して得ることもできるが、加圧成形後も加熱して再焼結することもできる。
【００３３】
また、酸化チタン粉末にバインダを加えて加圧成型したものを、雰囲気中で加熱処理することによっても部分還元焼結体１６を製造することができる。このようなバインダとしては、ワニス類、澱粉類又はポリビニルアルコール等を使用することができる。
【００３４】
酸化チタンの加熱温度及び加熱時間の程度によって、生成するＴｉＯ2-X式で表される部分還元酸化チタンのＸを０＜Ｘ＜０．５で変化させることができる。身体の疾患に有効に作用する波長領域は疾患部位によって異なると考えられので、単純なＴｉＯ２よりも部分還元されたＴｉＯ２-X（０＜Ｘ＜０．５）の方が幅広い波長領域に対応でき、好ましい。他方、還元が進み過ぎると、Ｔｉ２Ｏ3の結晶組成になってしまい結晶構造が変わってしまう。このため、酸化チタンは、ＴｉＯ２-X（０＜Ｘ＜０．５）の部分還元酸化チタンからなることが好ましい。
【００３５】
Ｐ型半導体膜１７は、シリコン系半導体膜又はゲルマニウム系半導体膜からなることが好ましい。Ｐ型半導体膜のコーティングは、スパッタリング、ＣＶＤ，ＭＯＣＶＤ、塗布等によって行うことができる。
【００３６】
《作用・効果》
次に、上述した構成からなる本実施の形態による作用・効果について説明する。
【００３７】
本実施の形態の取付部材１０，１０’は、健康維持バンドの身体側に位置する面５０ｆであって中央部５５，５５’の任意の位置に取付自在になり、かつ、当該中央部５５，５５’から取外自在となっている。そして、取付部材１０，１０’の裏面に取付貼付部１２，１２’が設けられ、取付部材１０，１０’の表面側に複数の健康維持部材１５が設けられている。
【００３８】
このため、複数の健康維持部材１５が設けられた取付部材１０，１０’を、中央部５５，５５’の身体側に位置する面５０ｆの任意の位置に位置づけることができ、腰及び膝のような身体の所定箇所のうちの「所望の箇所」に健康維持部材１５を位置づけ、健康維持部材１５による効果を継続的に与えることができる。
【００３９】
また、取付部材１０，１０’の中央部５５，５５’への取り付け及び取り外しは、繰り返して行うことができる。このため、本実施の形態によれば、従来技術のように一度の貼り付けで使用できなくなることはなく、健康維持部材１５を繰り返して利用することができる。
【００４０】
また、使用者毎に痛みを感じる箇所が変わることが想定され、又、日によって痛みを感じる箇所が変わることも想定される。この点、本実施の形態の健康維持バンドでは、上述したように取付部材１０，１０’の中央部５５，５５’への取り付け及び取り外しを繰り返して行うことができるので、使用者毎に任意の箇所に取付部材１０，１０’を設置する箇所を変えることができるし、日によって任意に取付部材１０，１０’を設置する箇所を変えることもできる。
【００４１】
また、取付ベース部１１，１１’は布製部材からなっており、ハサミなどを用いて容易に切断することができる。このため、使用者のニーズに合わせて取付部材１０，１０’を適宜小さな大きさにした上で用いることもできる。なお、図５に示す膝に用いられるタイプのものでは、取付貼付部１２’が取付ベース部１１’の全面に設けられ、健康維持部材１５’の位置する箇所に対応して設けられていることから問題ないが、図３に示す腰に用いられるタイプのものでは、取付貼付部１２が取付ベース部１１の両端に設けられているだけなので、取付ベース部１１を長手方向に沿って（図３（ａ）のＡ−Ａ’直線参照）切断する必要がある。
【００４２】
なお、本実施の形態による健康維持バンドが、サポーターとしての機能を有することは当然である。
【符号の説明】
【００４３】
１０，１０’  取付部材
１１，１１’  取付ベース部
１２，１２’  取付貼付部
１５      健康維持部材
１６      部分還元焼結体
１７      半導体膜
５１，５１’  本体ベース部
５２，５２’  本体貼付部
５３，５３’  他端部近傍
５５，５５’  中央部
【図１】
0003175062.tif 000003
【図２】
0003175062.tif 000004
【図３】
0003175062.tif 000005
【図４】
0003175062.tif 000006
【図５】
0003175062.tif 000007
【図６】
0003175062.tif 000008
【図７】
0003175062.tif 000009
【図８】
0003175062.tif 000010